(57)【要約】【課題】本発明の高周波加熱調理装置は、キーボードの接続部の燃焼を保護するために、別パーツを取り付け部品コストも高くなり、組立工数も多くかかっていた。また嵌合部については、完全は密閉構造にすることができなかったこと。【解決手段】マイコンを含む電子制御回路と表示管とを設けたプリント基板２１と、プリント基板２１が装着されたプリント基板取付板２２と、プリント基板２１とは反対側のプリント基板取付板２２の面に取り付けられたキーボード２４と、樹脂で成形された外装パネル２６と、外装パネル２６がプリント基板取付板２２に装着されて固定された本体シャーシ２７と、を備え、キーボード２４の接続部２４ａに難燃性シート２５を貼り付けたものである。これによって、安全性が高く、安価で組立性の良い操作部内の不燃化構造を実現することができる。【選択図】図１
2014089016.tif 000002
【特許請求の範囲】
【請求項１】
マイコンを含む電子制御回路と表示管とを設けたプリント基板と、前記プリント基板が装着されたプリント基板取付板と、前記プリント基板とは反対側の前記プリント基板取付板の面に取り付けられたキーボードと、樹脂で成形された外装パネルと、前記外装パネルが前記プリント基板取付板に装着されて固定された本体シャーシと、を備え、
前記キーボードの接続部に、難燃性のシートを貼り付けた高周波加熱調理装置。
【発明の詳細な説明】
【技術分野】
【０００１】
本発明は安価で安全性の高い高周波加熱調理装置に関するものである。
【背景技術】
【０００２】
図３（ａ）は、従来の高周波加熱調理装置の操作パネル部の断面図、図３（ｂ）は、図３（ａ）の要部拡大断面図である。
【０００３】
同図において、従来の高周波加熱調理装置における操作パネル部の構造は、マイコンを含む電子制御回路のプリント基板１を、板金で構成されたプリント基板取付板２にビス３で固定している。そして、このプリント基板取付板２のプリント基板１が装着された反対側の表面には、プリント基板１の電子制御回路に必要な情報（加熱調理時間、高周波出力等）を入力するためのキーボード４が、貼り付けられている。
【０００４】
プリント基板２には、キーボード４の接続部４ａの燃焼を保護するため、難燃性を有した樹脂カバー９が設けられている。そして、樹脂で成形された外装パネル５が、プリント基板取付板２に装着されて、本体シャーシ６にビス７で固定されている。外装パネル５には、プリント基板２上の表示管（図示せず）を見え易くかつ保護する目的で、ポリカーボネート、あるいはポリエチレンテレフタラート等で構成されたシート８が、取り付けられている。
【先行技術文献】
【特許文献】
【０００５】
【特許文献１】特開昭６２−２７１３９２号公報
【発明の概要】
【発明が解決しようとする課題】
【０００６】
しかしながら、前記従来の構成では、キーボード４の接続部４ａの燃焼を保護するために、別に難燃性の樹脂をプリント基板に装着させる必要があり、ビス締結等により部品コストも高く、組立工数も多くかかっていた。また、別パーツを取り付けるため、嵌合部については、完全な密閉構造にすることができないという欠点を有していた。
【０００７】
本発明は前記従来の課題を解決するもので、キーボードの接続部に難燃性のシートを貼り付けることで、安全性が高く、安価で組立性の良い操作部内の不燃化構造を実現することを目的とする。
【課題を解決するための手段】
【０００８】
前記従来の課題を解決するために、本発明はキーボードの接続部に難燃性のシートを貼り付けたものである。
【０００９】
これによって、安全性が高く、安価で組立性の良い操作部内の不燃化構造を実現することができる。
【発明の効果】
【００１０】
本発明の高周波加熱調理装置は、安全性が高く、安価で組立性の良い操作部内の不燃化構造を実現することができる。
【図面の簡単な説明】
【００１１】
【図１】（ａ）本発明の実施の形態１における高周波加熱調理装置の操作部の要部断面図（ｂ）図１（ａ）のＡ部拡大断面図
【図２】本発明の実施の形態１における高周波加熱調理装置の操作部の斜視図（ｂ）同操作部の分解斜視図
【図３】（ａ）従来の高周波加熱調理装置におけるドアの操作部の要部断面図（ｂ）図３（ａ）のＡ部拡大断面図
【発明を実施するための形態】
【００１２】
第１の発明は操作パネル部の構造は、マイコンを含む電子制御回路のプリント基板を板金で構成されたプリント基板取付板にビスで固定し、このプリント基板取付板のプリント基板が取り付けられた面とは反対側の表面には、プリント基板の電子制御回路に必要な情報（加熱調理時間、高周波出力等）を入力するためのキーボードが貼り付けられている。キーボードには、接続部に難燃性のシートを貼り付けている。
【００１３】
そして、樹脂で成形された外装パネルが、プリント基板取付板に装着されて、本体シャーシに、ビスで固定されている。外装パネルには、プリント基板上の表示管を見え易くし保護する目的で、ポリカーボネート、あるいはポリエチレンテレフタラート等で構成されたシートが取り付けられている。
【００１４】
以下、本発明の実施の形態について、図面を参照しながら説明する。なお、この実施の形態によって本発明が限定されるものではない。
【００１５】
（実施の形態１）
図１（ａ）は、本発明の第１の実施の形態における高周波加熱調理装置の操作部の要部断面図、図１（ｂ）は図１（ａ）の要部拡大断面図、図２は本発明の実施の形態１における同操作部の分解斜視図を示すものである。
【００１６】
同図において、電子レンジの操作パネル部の構造は、マイコンを含む電子制御回路のプリント基板２１を、板金で構成されたプリント基板取付板２２にビス２３で固定し、このプリント基板取付板２２のプリント基板２１が装着された反対側の表面には、プリント基板２１の電子制御回路に必要な情報（加熱調理時間、高周波出力等）を入力するためのキーボード２４が、貼り付けられている。キーボード２４には、接続部２４ａに、難燃性シート２５を貼り付けている。
【００１７】
そして、樹脂で成形された外装パネル２６が、プリント基板取付板２２に装着されて、本体シャーシ２７に、ビス２８で固定されている。外装パネル２６には、プリント基板２１上の表示管２９を見え易くし保護するための目的で、ポリカーボネート、あるいはポリエチレンテレフタラート等で構成されたシート３０が取り付けられている構成になっている。
【００１８】
本発明の高周波加熱調理装置は、一般的な材料で成形し、板金のプリント基板取付板２２を設け、キーボード２４の接続部には、難燃性の材料で成形したカバーを取り付けた目的、すなわち高周波加熱調理装置の電気室内部で火災が発生し、キーボード２４に延焼した場合に炎が外部に出てゆくのを防止する目的を果たそうとするものであり、従来の難燃性の材料で成形したカバーを廃止し、キーボード２４の接続部に難燃性シート２５を貼り付けるものであり、これにより、安全性が高く、安価で組立性の良い操作部内の不燃化構造を実現することができる。
【産業上の利用可能性】
【００１９】
以上のように、本発明にかかる高周波加熱調理装置は、安全性が高く、安価で組立性の
良い操作部内の不燃化構造を実現することができるので、高周波加熱調理装置の電気室内部で火災が発生し、キーボードに延焼した場合に炎が外部に出てゆくのを防止でき、等の用途にも適用できる。
【符号の説明】
【００２０】
２１  プリント基板
２２  プリント基板取付板
２４  キーボード
２４ａ  接続部
２５  難燃性シート
２６  外装パネル
３０  シート
【図１】
2014089016.tif 000003
【図２】
2014089016.tif 000004
【図３】
2014089016.tif 000005